(57)【要約】【課題】例えば電池を電源とするＤＳＣを備えた無線通信装置において、ＤＳＣ受信部及び音声受信部をそれぞれ異なるタイミングで間欠駆動しつつ、可能な限り電池の消耗を抑制することを目的とする。  【解決手段】アンテナ２により受信された電波にフィルタ処理及び増幅処理を施す共用回路３と、処理された信号から音声信号を抽出し、所定の処理を施してスピーカーから音声を出力する音声信号処理回路４と、処理された信号からＤＳＣ信号を抽出し、所定のデジタル処理を施し、デコードしてＤＳＣ信号を抽出するＤＳＣ信号処理回路５と、音声信号処理回路４及びＤＳＣ信号処理回路５をそれぞれ異なるパターンで間欠駆動する間欠駆動制御回路（制御回路）６と、音声信号処理回路４及びＤＳＣ信号処理回路５のいずれか又は両方がアクティブモードのときに共用回路３に駆動電力を供給する第１電源回路８及び第２電源回路９を備える。  【選択図】図１
2018006906.tif 000002
【特許請求の範囲】
【請求項１】
ＤＳＣ（Digital Selective Calling：デジタル選択呼出）機能を備えた無線通信装置であって、
他の無線通信装置から送信される音声信号が重畳された電波と、ＤＳＣ信号が重畳された電波を受信する単一のアンテナと、
前記アンテナにより受信された電波にフィルタ処理及び増幅処理を施す共用回路と、
前記共用回路により処理された信号から音声信号を抽出し、該音声信号に所定の処理を施してスピーカーから音声を出力する音声信号処理回路と、
前記共用回路により処理された信号からＤＳＣ信号を抽出し、該ＤＳＣ信号に所定のデジタル処理を施し、デコードしてＤＳＣ信号を抽出するＤＳＣ信号処理回路と、
前記音声信号処理回路を間欠駆動するために第１パターンで第１駆動信号を出力すると共に、前記ＤＳＣ信号処理回路を間欠駆動するために第２パターンで第２駆動信号を出力する間欠駆動制御回路と、
前記第１駆動信号に応じて前記音声信号処理回路に駆動電力を供給し、前記第２駆動信号に応じて前記ＤＳＣ信号処理回路に駆動電力を供給し、前記第１駆動信号及び前記第２駆動信号のいずれか一方又は両方が出力されているときに前記共用回路に駆動電力を供給する電源回路と、を備えたことを特徴とする無線通信装置。
【請求項２】
前記間欠駆動制御回路は、前記ＤＳＣ信号の同期がとれると、ＤＳＣ信号を受信しなくなるまで、前記第２駆動信号の出力を継続し、その間、前記電源回路は、前記ＤＳＣ信号処理回路及び前記共用回路に駆動電力を供給し続けることを特徴とする請求項１に記載の無線通信装置。
【請求項３】
前記間欠駆動制御回路は、前記音声信号が重畳された電波を受信すると、該電波を受信しなくなるまで、前記第１駆動信号の出力を継続し、その間、前記電源回路は、前記音声信号処理回路及び前記共用回路に駆動電力を供給し続けることを特徴とする請求項１又は請求項２に記載の無線通信装置。
【請求項４】
前記第２パターンの周期は前記第１パターンの周期よりも短いことを特徴とする請求項１乃至請求項３のいずれか一項に記載の無線通信装置。
【請求項５】
複数の受信部を備え、周波数の異なる複数の電波を同時に待ち受けることが可能な無線通信装置のパワーセーブ方法であって、前記複数の受信部を間欠駆動する際、前記複数の受信部が同時にオフ状態のときに、間欠駆動に必要な回路以外の共用回路への電力を遮断することを特徴とする無線通信装置のパワーセーブ方法。
【発明の詳細な説明】
【技術分野】
【０００１】
本発明は、例えば電池を電源とするＤＳＣ（Digital Selective Calling：デジタル選択呼出）機能を備えた無線通信装置及びそのパワーセーブ方法に関する。
【背景技術】
【０００２】
一般的に、電池を電源とする無線通信装置においては、いかにして電池の消耗を抑制するかがテーマとなっており、例えば特許文献１には、２つのアンテナと２つの受信部を備え、いずれかのアンテナ及び受信部を選択してダイバシティ受信を行う受信装置において、各受信部における電界強度に基づいて電波を受信するアンテナ及び受信部を決定し、決定された受信部を間欠駆動している。この受信装置は、１つの送信装置から送信される電波を２つのアンテナ及び受信部のいずれかで受信するため、２つの受信部の間欠駆動のタイミングは同じである。そのため、２つの受信部は同時に駆動されることはないけれども、アンテナ及び受信部を選択するための待ち受け制御部は常時駆動されている。そのため、２つの受信部を同時に間欠駆動する場合と比較すれば電池の消耗の抑制効果は大きいが、１つの受信部しか備えていない無線通信装置において受信部を常時間欠駆動している場合と等価であり、特に電池の消耗の抑制効果が顕著であるとは言い難かった。
【０００３】
一方、ヨットやプレジャーボートなどで使用されるＤＳＣ（デジタル選択呼出）機能を備えた携帯式の無線通信装置では、通常の音声通話を受信する音声受信部とは別に、ＤＳＣ信号（遭難警報などの緊急呼び出し）を受信するＤＳＣ受信部を備えており、ＤＳＣチャンネルを介して、到来のタイミングが不定なＤＳＣ信号を確実に同期検出し、常時受信できるようにしていなければならない。それに対して、通常の音声通話の場合は、ＤＳＣ信号よりは緊急性が低いため、消費電流の削減効果が高くなるように、音声受信部を任意のタイミングで間欠駆動させている。そのため、特許文献１に記載された無線通信装置のように２つの受信部を交互に間欠駆動させるだけではなく、ＤＳＣ受信部及び音声受信部をそれぞれ異なるタイミングで間欠駆動しなければならない。そして、これら２つの受信部で共用している回路がある場合は、共用回路に常に電力を供給し続けていなければならず、消費電流の削減効果が十分ではなかった。
【先行技術文献】
【特許文献】
【０００４】
【特許文献１】特許第２９５６８０７号
【発明の概要】
【発明が解決しようとする課題】
【０００５】
本発明は、上記従来例の問題を解決するためになされたものであり、ＤＳＣ機能を備えた無線通信装置において、ＤＳＣ受信部及び音声受信部をそれぞれ異なるタイミングで間欠駆動しつつ、可能な限り電池の消耗を抑制することを目的とする。
【課題を解決するための手段】
【０００６】
上記目的を達成するために本発明に係るＤＳＣ（Digital Selective Calling：デジタル選択呼出）機能を備えた無線通信装置は、
他の無線通信装置から送信される音声信号が重畳された電波と、ＤＳＣ信号が重畳された電波を受信する単一のアンテナと、
前記アンテナにより受信された電波にフィルタ処理及び増幅処理を施す共用回路と、
前記共用回路により処理された信号から音声信号を抽出し、該音声信号に所定の処理を施してスピーカーから音声を出力する音声信号処理回路と、
前記共用回路により処理された信号からＤＳＣ信号を抽出し、該ＤＳＣ信号に所定のデジタル処理を施し、デコードしてＤＳＣ信号を抽出するＤＳＣ信号処理回路と、
前記音声信号処理回路を間欠駆動するために第１パターンで第１駆動信号を出力すると共に、前記ＤＳＣ信号処理回路を間欠駆動するために第２パターンで第２駆動信号を出力する間欠駆動制御回路と、
前記第１駆動信号に応じて前記音声信号処理回路に駆動電力を供給し、前記第２駆動信号に応じて前記ＤＳＣ信号処理回路に駆動電力を供給し、前記第１駆動信号及び前記第２駆動信号のいずれか一方又は両方が出力されているときに前記共用回路に駆動電力を供給する電源回路と、を備えたことを特徴とする。
【０００７】
前記間欠駆動制御回路は、前記ＤＳＣ信号の同期がとれると、ＤＳＣ信号を受信しなくなるまで、前記第２駆動信号の出力を継続し、その間、前記電源回路は、前記ＤＳＣ信号処理回路及び前記共用回路に駆動電力を供給し続けるように構成してもよい。
【０００８】
前記間欠駆動制御回路は、前記音声信号が重畳された電波を受信すると、該電波を受信しなくなるまで、前記第１駆動信号の出力を継続し、その間、前記電源回路は、前記音声信号処理回路及び前記共用回路に駆動電力を供給し続けるように構成してもよい。
【０００９】
前記第２パターンの周期を前記第１パターンの周期よりも短くするように構成してもよい。
【００１０】
また、本発明に係る無線通信装置のパワーセーブ方法は、複数の受信部を備え、周波数の異なる複数の電波を同時に待ち受けることが可能な無線通信装置のパワーセーブ方法であって、前記複数の受信部を間欠駆動する際、前記複数の受信部が同時にオフ状態のときに、間欠駆動に必要な回路以外の共用回路への電力を遮断することを特徴とする。
【発明の効果】
【００１１】
上記構成によれば、音声信号処理回路とＤＳＣ信号処理回路のいずれにも駆動電力が供給されていないときは、共用回路にも駆動電力が供給されないので、電池を電源としている場合は、電池の消耗を抑制することができる。また、電池を電源とする場合だけでなく、商用電源から電力の供給を受けている場合も同様に、回路の一部を共用化しているため、回路構成の簡素化及び消費電流を抑制することができる。
【図面の簡単な説明】
【００１２】
【図１】本発明の一実施形態に係るＤＳＣ機能を備えた無線通信装置の構成を示すブロック図。
【図２】ＤＳＣ信号の同期キャラクタの構成を示す図。
【図３】上記無線通信装置の音声信号処理回路の間欠駆動を示すタイムチャート。
【図４】上記無線通信装置のＤＳＣ信号処理回路の間欠駆動を示すタイムチャート。
【図５】上記無線通信装置の共用回路、音声信号処理回路及びＤＳＣ信号処理回路の間欠駆動を示すタイムチャート。
【発明を実施するための形態】
【００１３】
本発明の一実施形態に係るＤＳＣ機能を備えた無線通信装置及びそのパワーセーブ方法について説明する。無線通信装置１は、他の無線通信装置との間で通常の音声通話を行う音声信号処理回路と、ＤＳＣ信号を受信するＤＳＣ信号処理回路の２つの信号処理系統を有しており、他の無線通信装置からの呼び出し及びＤＳＣ信号の受信を待ち受けているときの電池の消耗を抑制するために、音声信号処理回路とＤＳＣ信号処理回路をそれぞれ間欠駆動すると共に、両回路が共にオフ状態のときは、間欠駆動に必要な回路以外の回路への電力を遮断するように構成されている。以下、図１を参照しつつ詳細に説明する。
【００１４】
図１は、この無線通信装置１のブロック構成を示す。この無線通信装置１は、電池を電源としており、他の無線通信装置から送信される音声信号が重畳された電波と、ＤＳＣ信号が重畳された電波を受信する単一のアンテナ２と、アンテナ２により受信された電波にフィルタ処理を施すローパスフィルタ（ＬＰＦ）３１と、ローパスフィルタ３１を透過した信号に増幅処理を施す増幅回路（ＲＦＡＭＰ）３２とを備えており、これら、ローパスフィルタ３１と増幅回路３２は、音声信号処理回路４とＤＳＣ信号処理回路５に信号を出力する共用回路３を構成する。増幅回路３２により増幅された信号は、音声信号処理回路４とＤＳＣ信号処理回路５にそれぞれ入力される。
【００１５】
国際ＶＨＦにおいては、船舶相互間又は船舶と海岸局との間の通話周波数として、０６ｃｈ（１５６．３００ＭＨｚ）、０８ｃｈ（１５６，４００ＭＨｚ）・・・など、予め優先順位が決められた周波数で交信が行われる。一方、ＤＳＣ信号は、７０ｃｈ（１５６，５２５ＭＨｚ）に周波数が決められており、いずれも同じアンテナで受信し、同じローパスフィルタ３１及び増幅回路３２で信号処理することができる。
【００１６】
音声信号処理回路４は、バンドパスフィルタ（Ａ−ＢＰＦ）４１と、例えば電圧制御発信器などの局部発振器（ＶＣＯ）４２と、バンドパスフィルタ４１を透過した信号と局部発振器４２で発生された信号を混合して中間周波数に変換するミキサ（Ａ−ＭＩＸ）４３と、ミキサ４３により変換された中間周波数(Intermediate Frequency)の信号にフィルタ処理を施すＩＦフィルタ（Ａ−ＦＩＬ）４４と、ＩＦフィルタ４４によりフィルタ処理された信号を増幅するＩＦ増幅器（Ａ−ＡＭＰ）４５と、増幅された信号に対してスケルチ(Squelch)などの処理を施すＩＣ（Ａ−ＩＣ）４６などで構成されている。音声信号処理回路４によって受信した電波から抽出された音声信号は、スピーカー１０から音声として出力される。
【００１７】
ＤＳＣ信号処理回路５は、バンドパスフィルタ（Ｄ−ＢＰＦ）５１と、水晶発振器（ＴＣＸＯ）５２と、水晶発振器５２によって発振された周波数から、例えば５倍の周波数の信号を発生させる５逓倍回路（Ｄ−ＭＵＬ）５３と、バンドパスフィルタ５１を透過した信号と５逓倍回路５３で発生された信号を混合して中間周波数に変換するミキサ（Ｄ−ＭＩＸ）５４と、ミキサ５４により変換された中間周波数の信号にフィルタ処理を施すＩＦフィルタ（Ｄ−ＦＩＬ）５５と、ＩＦフィルタ５５によりフィルタ処理されたＩＦ信号を増幅するＩＦ増幅器（Ｄ−ＡＭＰ）５６と、増幅されたＩＦ信号を音声周波数信号（ＡＦ信号）に変換するＩＣ（Ｄ−ＩＣ）５７と、ＡＦ信号を増幅する増幅器（ＡＦ−ＡＭＰ）５８と、増幅されたＡＦ信号を２値化してデコードし、ＤＳＣ信号の内容を読み出すデコード回路（ＤＥＣ）５９などで構成されている。デコードされたＤＳＣ信号の内容は、制御回路（ＣＰＵ）６によって判定され、音声情報としてスピーカー１０から出力され又は文字情報としてディスプレイ１１上に表示される。
【００１８】
この無線通信装置１は、電池（ＢＡＴＴ）１２を電源としており、電源回路は、ユーザーによって操作される電源スイッチ（ＰＷＣＴＲＬ）７と、音声信号処理回路４に駆動電力を供給する第１電源部８と、ＤＳＣ信号処理回路５に駆動電力を供給する第２電源部９と、制御回路６に駆動電力を供給する第３電源部１３などを備えている。また、この無線通信装置１では、他の無線通信装置からの呼び出し及びＤＳＣ信号の受信を待ち受けているときの電池の消耗を抑制するために、音声信号処理回路４とＤＳＣ信号処理回路５をそれぞれ間欠駆動するように構成されている。制御回路６は、マイクロプロセッサ、内蔵ＲＯＭ、タイマーなどで構成され、音声信号処理回路４を第１パターンで間欠駆動するための第１駆動信号及びＤＳＣ信号処理回路５を第２パターンで間欠駆動するための第２駆動信号を出力する間欠駆動制御回路として機能する。そのため、第３電源部１３は、電源スイッチ７がオン状態のときは常時制御回路６に駆動電力を供給している。一方、第１電源部８は、制御回路６から第１駆動信号が出力されている間だけ、音声信号処理回路４に駆動電力を供給し、第２電源部９は、制御回路６から第２駆動信号が出力されている間だけ、ＤＳＣ信号処理回路５に駆動電力を供給する。
【００１９】
音声信号処理回路４は、通常の音声通話用の受信回路であり、２つの電源回路８１及び８２から電力が供給されている。電源回路８１及び８２の出力電圧は同じであるが、駆動電力の供給対象である各回路のアイソレーションを取る(ノイズの影響を低減する)ために、２つの電源回路を設けている。例えば、電源回路８１は局部発振器（ＶＣＯ）４２にＭ５Ｖ駆動電力を供給し、電源回路８２はその他の回路にＲ５Ｖの駆動電力を供給する。また、ＤＳＣ信号処理回路５は、ＤＳＣ（Digital Selective Calling：デジタル選択呼出）を受信するためのデジタル回路であり、出力電圧（Ｄ３Ｖ及びＤ５Ｖ）の異なる２種類の、例えば三端子レギュレータなどの定電圧回路９１及び９２で構成されている。定電圧回路９１及び９２は、ＤＳＣ信号処理回路５のうち駆動電圧の異なる回路にそれぞれ駆動電力を供給している。例えば、定電圧回路９１はミキサ５４などにＤ５Ｖの駆動電力を供給し、定電圧回路９２は増幅器５８などにＤ３Ｖの駆動電力を供給する。第３電源部１３も同様に、例えば三端子レギュレータなどの定電圧回路で構成されており、制御回路６に３Ｖの駆動電力を供給する。共用回路３のローパスフィルタ３１及び増幅回路３２には、第１電源部８と第２電源部９の一方又は両方から駆動電力が供給される。
【００２０】
次に、無線通信装置１における間欠駆動について説明する。ＤＳＣ信号は緊急性の高い信号であり、且つ、デジタル信号であるので確実に同期をとる必要がある。ＤＳＣ信号のフォーマットは、２０ビットのドットパターンと、それに続く、図２に示すような１２個の同期キャラクタにより開始される。そのため、予め順番が決められている同期キャラクタが３個連続して検出された場合に、同期がとれたものと判断することができる。また、１２個の同期キャラクタの送信に１００ｍｓの時間を要するので、ＤＳＣ信号処理回路５を間欠駆動しながら同期を取るためには、最低でも３個のキャラクタを検出するために、２５ｍｓ以上ＤＳＣ信号処理回路５がオンしていなければならない。そのため、ＤＳＣ信号処理回路５を間欠駆動する第２パターンは、例えばＤＳＣ信号処理回路５を３０ｍｓオンし、７０ｍｓオフし、同期がとれるまでこの間欠駆動を繰り返すようにすればよい。なお、電池１２の消耗を抑制するパワーセーブ効果は小さくなるが、同期をとる確率を高くするために、間欠駆動の第２パターンを変更し、ＤＳＣ信号処理回路５のオン時間を長く、オフ時間を短くするようにしてもよい。一方、通常の音声通話の場合、ＤＳＣ信号よりは緊急性が低く、この無線通信装置１からの応答があるまで他の無線通信装置からコールされ続けるので、音声信号処理回路４を間欠駆動する第１パターンは、よりパワーセーブ効果を高くするため、例えば音声信号処理回路４を１３０ｍｓオンし、７５０ｍｓオフし、音声信号が重畳された電波を受信するまでこの間欠駆動を繰り返すようにすればよい。
【００２１】
これら音声信号処理回路４及びＤＳＣ信号処理回路５の間欠駆動は個別に行われる。図３は音声信号処理回路４の間欠駆動のタイムチャートを示し、図４はＤＳＣ信号処理回路５の間欠駆動のタイムチャートを示す。また、図５は、間欠駆動時における共用回路３、音声信号処理回路４及びＤＳＣ信号処理回路５の駆動電力のオン及びオフのタイムチャートを示す。なお、図３及び図４は、間欠駆動を理解しやすくするために横軸の時間スケールは任意であり、図５の横軸の時間スケールが正しいものとする。
【００２２】
図３において、最初、他の無線通信装置との間で通常の音声通話を行っているものとする。Ｐ１において、音声信号が途切れ、他の通信装置との音声通話が終了すると、スピーカー１０からノイズを出力しないために、スケルチ（ＳＱＬ）処理が開始される。制御回路６は、音声通話が終了してから所定時間経過後のＰ２において、第１電源部８の電源回路８１及び８２を駆動するための駆動信号Ｍ５ＶＳ及びＲ５ＶＳの出力を停止する。そうすると、第１電源部８から共用回路３及び音声信号処理回路４への駆動電力の供給が停止され、少なくとも音声信号処理回路４はスリープモードになる。音声信号処理回路４及びＤＳＣ信号処理回路５の間欠駆動は個別に行われるため、ＤＳＣ信号処理回路５がアクティブモードのときは、第２電源部９から共用回路３に駆動電力が供給される。Ｐ２で音声信号処理回路４がスリープモードになると、制御回路６はタイマーのカウントを開始し、所定時間（上記の場合７５０ｍｓ）経過すると、第１電源部８の電源回路８１及び８２を駆動するために駆動信号Ｍ５ＶＳ及びＲ５ＶＳの出力を開始する。そうすると、第１電源部８から共用回路３及び音声信号処理回路４への駆動電力が供給され、音声信号処理回路４はアクティブモードになる。Ｐ３で音声信号処理回路４がアクティブモードになると、制御回路６はタイマーのカウントを開始し、局部発振器４２を含むＰＬＬ(Phase Locked Loop)回路の発振準備のために、所定時間（例えば２０ｍｓ）待機し、その後、分周比を設定する。音声信号処理回路４のアクティブモードであるＰ３から所定時間（例えば１３０ｍｓ）経過するまでの間に他の無線通信装置からの呼び出しがなかったときは、制御回路６は、Ｐ４において駆動信号Ｍ５ＶＳ及びＲ５ＶＳの出力を停止し、再び音声信号処理回路４はスリープモードになる。他の無線通信装置からの呼び出しがあるまで、この音声信号処理回路４のアクティブモードとスリープモードを繰り返す間欠駆動が行われる。そして、他の無線通信装置からの呼び出しがあると、制御回路６は駆動信号Ｍ５ＶＳ及びＲ５ＶＳの出力を継続し、音声信号処理回路４をアクティブモードに維持する。
【００２３】
図４においても、最初、ＤＳＣ信号の受信を行っているものとする。Ｐ５において、ＤＳＣ信号の受信が終了すると、制御回路６は、ＤＳＣ信号の受信が終了してから所定時間経過後のＰ６において、第２電源部９の電源回路９１を駆動するための駆動信号Ｄ５ＶＳの出力を停止する。そうすると、第２電源部９から共用回路３及びＤＳＣ信号処理回路５への駆動電力の供給が停止され、少なくともＤＳＣ信号処理回路５はスリープモードになる。Ｐ６でＤＳＣ信号処理回路５がスリープモードになると、制御回路６はタイマーのカウントを開始し、所定時間（上記の場合７０ｍｓ）経過すると、第２電源部９の電源回路９１を駆動するために駆動信号Ｄ５ＶＳの出力を開始する。そうすると、第２電源部９から共用回路３及びＤＳＣ信号処理回路５への駆動電力が供給され、ＤＳＣ信号処理回路５はアクティブモードになる。ＤＳＣ信号処理回路５のアクティブモードであるＰ７から所定時間（例えば３０ｍｓ）経過するまでの間に、ＤＳＣ信号を受信しなかったときは、制御回路６は、Ｐ８において駆動信号Ｄ５ＶＳの出力を停止し、再びＤＳＣ信号処理回路５はスリープモードになる。ＤＳＣ信号を受信するまで、このＤＳＣ信号処理回路５のアクティブモードとスリープモードを繰り返す間欠駆動が行われる。Ｐ９においてＤＳＣ信号を受信すると、ＤＳＣ信号処理回路５はアクティブモードになり、Ｐ１０においてＤＳＣ信号の受信が終了した後は、所定時間アクティブモードを維持した後、上記Ｐ６〜Ｐ８の間欠動作を繰り返す。なお、図５に示すように、音声信号処理回路４及びＤＳＣ信号処理回路５の間欠駆動のタイミング及び間欠駆動におけるアクティブモードとスリープモードの時間が異なるため、共用回路３は、両者のＯＲのタイミングで駆動される。また、ＤＳＣ信号処理回路５は、音声信号処理回路４がスリープモードの間に複数回間欠駆動されることがわかる。
【００２４】
以上説明したように、本発明に係る無線通信装置１は、他の無線通信装置との間で通常の音声通話を行う音声信号処理回路４と、ＤＳＣ信号を受信するＤＳＣ信号処理回路５の２つの信号処理系統を有しており、他の無線通信装置からの呼び出し及びＤＳＣ信号の受信を待ち受けているときの電池１２の消耗を抑制するために、音声信号処理回路４とＤＳＣ信号処理回路５をそれぞれ間欠駆動すると共に、両回路が共にオフ状態のときは、間欠駆動に必要な回路以外の共用回路３への電力を遮断するように構成されている。そのため、音声信号処理回路４及びＤＳＣ信号処理回路５が共にスリープモードであり電波を受信しないときは、共用回路３を構成するローパスフィルタ３１及び増幅回路３２などにも駆動電力が供給されず、電池１２の消耗を抑制することができる。
【００２５】
また、本発明に係る無線通信装置は、ＤＳＣ（Digital Selective Calling：デジタル選択呼出）機能を備えており、
他の無線通信装置から送信される音声信号が重畳された電波と、ＤＳＣ信号が重畳された電波を受信する単一のアンテナと、
前記アンテナにより受信された電波にフィルタ処理及び増幅処理を施す共用回路と、
前記共用回路により処理された信号から音声信号を抽出し、該音声信号に所定の処理を施してスピーカーから音声を出力する音声信号処理回路と、
前記共用回路により処理された信号からＤＳＣ信号を抽出し、該ＤＳＣ信号に所定のデジタル処理を施し、デコードしてＤＳＣ信号を抽出するＤＳＣ信号処理回路と、
前記音声信号処理回路を間欠駆動するために第１パターンで第１駆動信号を出力すると共に、前記ＤＳＣ信号処理回路を間欠駆動するために第２パターンで第２駆動信号を出力する間欠駆動制御回路と、
前記第１駆動信号に応じて前記音声信号処理回路に駆動電力を供給し、前記第２駆動信号に応じて前記ＤＳＣ信号処理回路に駆動電力を供給し、前記第１駆動信号及び前記第２駆動信号のいずれか一方又は両方が出力されているときに前記共用回路に駆動電力を供給する電源回路と、を備えていればよい。
【００２６】
前記間欠駆動制御回路は、前記ＤＳＣ信号の同期がとれると、ＤＳＣ信号を受信しなくなるまで、前記第２駆動信号の出力を継続し、その間、前記電源回路は、前記ＤＳＣ信号処理回路及び前記共用回路に駆動電力を供給し続けるように構成してもよい。
【００２７】
前記間欠駆動制御回路は、前記音声信号が重畳された電波を受信すると、該電波を受信しなくなるまで、前記第１駆動信号の出力を継続し、その間、前記電源回路は、前記音声信号処理回路及び前記共用回路に駆動電力を供給し続けるように構成してもよい。
【００２８】
前記第２パターンの周期を前記第１パターンの周期よりも短くするように構成してもよい。
【００２９】
また、本発明に係る無線通信装置のパワーセーブ方法は、ＤＳＣ機能を備えた無線通信装置に限定されるものではなく、複数の受信部を備え、周波数の異なる複数の電波を同時に待ち受けることが可能な無線通信装置にも応用することができ、複数の受信部を間欠駆動する際、複数の受信部が同時にオフ状態のときは、間欠駆動に必要な回路以外の共用回路への電力を遮断するように構成してもよい。さらに、無線通信装置の電源は電池に限られるものではなく、商用電源から電力が供給される無線通信装置においても、消費電流を低減することができる。
【符号の説明】
【００３０】
１  無線通信装置
２  アンテナ
３  共用回路
４  音声信号処理回路
５  ＤＳＣ信号処理回路
６  制御回路（間欠駆動制御回路）
７  電源スイッチ
８  第１電源部
９  第２電源部
１２  電池
１３  第３電源部
【図１】
2018006906.tif 000003
【図２】
2018006906.tif 000004
【図３】
2018006906.tif 000005
【図４】
2018006906.tif 000006
【図５】
2018006906.tif 000007